(57)【特許請求の範囲】
【請求項１】
ビームに複数の椅子本体を隣接させて取り付けた椅子に用いられるカップホルダであって、
カップを保持するホルダ本体と、
このホルダ本体を一定の姿勢に保持する支持要素とを具備してなり、
前記支持要素が、前記ビームの頂点より低い部位の外面に添設される抜け止め用の当接部と、前記当接部を前記ビームの外側から前記ビームの外面に圧接させることにより前記ホルダ本体を前記ビームに取り付ける圧接力惹起手段とを備えたものであり、
前記ビームに取り付けた状態において前記支持要素の全ての構成要素及び前記ホルダ本体が前記ビームの頂点よりも下方に位置付けられていることを特徴とするカップホルダ。
【請求項２】
前記ビームが前面の上半部分と、後面の上半部分にそれぞれ上向面を有したしたものであり、前記支持要素の当接部を前記両上向面にそれぞれ圧接させるようにしている請求項１記載のカップホルダ。
【請求項３】
前記ビームが前後に対をなすものであり、前記支持要素が、前端に前側の前記ビームの後面に形成された上向面に添設される前の当接部を有するとともに後端に後側の前記ビームの前面に形成された上向面に添設される後の当接部を有してなる押さえ具を具備したものである請求項２記載のカップホルダ。
【請求項４】
前記支持要素が、先端部で前記ホルダ本体を支持し基端部を前記ビームの下面に添接させたアームと、このアームの基端部の上方に配した前記押さえ具とを備えたものであり、前記圧接力惹起手段が、前記押さえ具を前記アームに緊締する緊締機構である請求項３記載のカップホルダ。
【請求項５】
前記支持要素が、隣接する椅子本体の境界部分に取り付けられる基端部と、この基端部の前端側から下方に垂下する先端部とを備えたものであり、その先端部の両側又は一側に前記ホルダ本体を設けている請求項１、２、３又は４記載のカップホルダ。
【発明の詳細な説明】
【技術分野】
【０００１】
本発明は、スタジアム等に設置される椅子に好適に使用することができるカップホルダに関する。
【背景技術】
【０００２】
従来、スタジアム等に設置される椅子として、所要の間隔を空けて配置された複数の脚と、これら脚間に設けられた座、又は座及び背凭れとを具備してなるものが知られている（例えば、特許文献１を参照）。
【０００３】
またこの種の観覧席について広範に適用されている態様としては、例えば支持体にビームを架け渡し、そのビームに座、又は座及び背凭れを載せ置き、これを固定するという態様も多く用いられている（例えば、特許文献２参照）。
【０００４】
ところで、上記特許文献２に記載されているような態様の椅子においては、上記特許文献１のように、各着座者がそれぞれ利用することができるカップホルダを増設したいという要望がある。ところが、既に設置されている椅子にカップホルダを後発的に取り付けるのには制約が多い。例えば、背凭れの背面に後列の着座者が利用するためのカップホルダを取り付けると、前後の椅子間に形成されている通路の幅が狭くなるという不具合が生じる。また、脚等にボルト孔を穿設してカップホルダを取り付けると、取付作業に多大な工数を要するという問題が発生する。また、椅子自体の構成要素になんら干渉させずにカップホルダを取り付けようとしても、当該構成要素に干渉しないような位置にしか設ける事ができないというのが現状である。
【先行技術文献】
【特許文献】
【０００５】
【特許文献１】特開平８−２６６３５２号公報
【特許文献２】特開２００１−００８７７１号公報
【発明の概要】
【発明が解決しようとする課題】
【０００６】
本発明は、このような不具合に着目したものであり、既存の広範な観覧席用の椅子に対し所望の位置に取り付けることができ、好適に使用し得るカップホルダを提供することを目的としている。
【課題を解決するための手段】
【０００７】
本発明は、このような目的を達成するために、次のような手段を講じたものである。すなわち本発明に係るカップホルダは、ビームに複数の椅子本体を隣接させて取り付けた椅子に用いられるカップホルダであって、カップを保持するホルダ本体と、このホルダ本体を一定の姿勢に保持する支持要素とを具備してなり、前記支持要素が、前記ビームの頂点より低い部位の外面に添設される抜け止め用の当接部と、前記当接部を前記ビームの外側から前記ビームの外面に圧接させることにより前記ホルダ本体を前記ビームに取り付ける圧接力惹起手段とを備えたものであり、前記ビームに取り付けた状態において前記支持要素の全ての構成要素及び前記ホルダ本体が前記ビームの頂点よりも下方に位置付けられていることを特徴とする。
【０００８】
このようなものであれば、ビームより上に支持要素が突出しないので、取付箇所の自由度を高めることができるとともに、圧接力惹起手段がビーム自体の内側では無くビームの外側からビームの外面に向けて当接部が圧接するようにしているのでビームの内側を利用すべくビームに孔あけ加工等を施すことなく容易に取り付けることができる。その結果、ビームよりも上にある椅子の他の構成要素に干渉することなく所望の位置に取り付けることができるカップホルダを提供できる。
【０００９】
ここで、当接部は勿論ビームより上に突出しないものであればビームに形成された起立面を挟持するように当接する態様をも含むものである。そしてさらに、ビームから外れ難い状態を有効に維持し得るためには、ビームとして前面の上半部分と、後面の上半部分にそれぞれ上向面を有したものを適用し、前記支持要素の当接部を前記両上向面にそれぞれ圧接させるようにしている態様とすることが望ましい。
【００１０】
そして、ビームに対する姿勢を安定して維持し得るためには、ビームが前後に対をなすものであり、支持要素が、前端に前側の前記ビームの後面に形成された上向面に添設される前の当接部を有するとともに後端に後側の前記ビームの前面に形成された上向面に添設される後の当接部を有してなる押さえ具を具備したものであることが望ましい。
【００１１】
また、ビームに対して強固に固定するためには、支持要素を、先端部で前記ホルダ本体を支持し基端部を前記ビームの下面に添接させたアームと、このアームの基端部の上方に配した押さえ具とを備えたものであり、圧接力惹起手段を押さえ具をアームに緊締する緊締機構としたものが好ましい。
【００１２】
そして、使用者に干渉し難い位置にホルダ本体を位置付けるためには、支持要素が、隣接する椅子本体の境界部分に取り付けられる基端部と、この基端部の前端側から下方に垂下する先端部とを備えたものであり、その先端部の両側又は一側にホルダ本体を設けたものとすることが望ましい。
【発明の効果】
【００１３】
本発明は、以上のような構成であるから、取付箇所の自由度を高めることができるとともに、脚に孔あけ加工等を施すことなく容易に取り付けることのできるカップホルダを提供できる。
【図面の簡単な説明】
【００１４】
【図１】本発明の一実施形態に係る椅子及びカップホルダの正面図。
【図２】同実施形態の椅子及びカップホルダの平面図。
【図３】図１に係る一部を省略して示すＡ−Ａ線断面図。
【図４】図１に係る一部を省略して示すＢ−Ｂ線断面図。
【図５】図１に係る一部を省略して示すＣ−Ｃ線断面図。
【図６】同実施形態に係る要部を示す外観図。
【図７】同実施形態のカップホルダの取り付け前の状態を示す分解斜視図。
【図８】同実施形態の変形例に係る図５に対応した説明図。
【図９】同上。
【図１０】同上。
【図１１】同上。
【図１２】同上。
【図１３】同上。
【図１４】同上。
【図１５】同上。
【発明を実施するための形態】
【００１５】
以下、本発明の一実施の形態について図面を参照して説明する。
【００１６】
この実施形態における椅子２は、スタジアム等に設置されるもので、複数の脚５と、これら脚５間に架設されたビーム４と、ビーム４上に隣接させて設けた複数の椅子本体３とを具備してなる。
【００１７】
脚５は、図１乃至図３に示すように、起立面から方持ち的に突出させた所謂蹴り上げ型のものである。この脚５は、特に図３に示すように、アルミダイキャスト製の脚本体５０を主体としてなり、起立面である壁面Ｗに壁面ボルト５８を介して取り付けられる脚本体５０の基端側に形成された壁面取付部５１と、脚本体５０の先端側に形成されたビーム受け部５２と、このビーム受け部５２にビーム４を挟んだ状態で取り付けられるビーム押さえ具５３とを有している。脚本体５０は、例えばその縁にそれぞれ、その板厚よりも幅の広いフランジを有した形状としている。ビーム受け部５２は、ビーム４の外面４１ａ、４２ａの形状に応じて凹ませて前後に形成したビーム支持面５４と、これらビーム支持面５４の間においてビーム用ボルト５９と螺合することによりビーム押さえ具５３を固定するための雌ねじ部５５とを有している。ビーム押さえ具５３は、ビーム４の上向面４１ｂ、４２ｂの形状に合致させるように形成した前後に対をなすビーム押さえ面５６と、これらビーム押さえ面５６間においてビーム用ボルト５９を挿通させるためのボルト穴５７とを有している。
【００１８】
ビーム４は、図１乃至図７に示すように、前後に対を成す丸パイプを主体としたものであり、前後に所定寸法離間させて互いに平行に設けられた前ビーム４１と、後ビーム４２とを有している。本実施形態において、これら前ビーム４１、後ビーム４２の外面４１ａ、４２ａのうち上半分の表面を上向面４１ｂ、４２ｂとするとともに、互いに向かい合う前ビーム４１の後側の上向面４１ｂを後上向面４１ｃ、後ビーム４２の前側の上向面４２ｂを前上向面４２ｃとしている。そして本実施形態では、これら前ビーム４１、後ビーム４２にともに上側から接する仮想の接線Ｌが当接する位置を頂点４１ｔ、４２ｔとしている。
【００１９】
椅子本体３は、図１乃至図６に示すように、座３１と、背凭れ３２と、これら座３１及び背凭れ３２をビーム４に固定するブラケット３３とを具備してなるもので、これら座３１と背凭れ３２とはブロー成形等により一体に形成されたものを主体としている。また椅子本体３は、これらブラケット３３を緊締することにより前記ビーム４を挟圧し前記座３１をビーム４に固定する緊締具としての座取付ボルト３８を有している。そして特に図４に示すように、座３１は、上面側において着座面を形成する座本体３４と、下面側において上ブラケット３６を取り付けるためのブラケット取付部３５とを有している。ブラケット３３は、座３１の下面に取り付けられビーム４の上面に載置される左右対をなす上ブラケット３６と、前記ビーム４の下方に位置させてこれら上ブラケット３６の下に配された下ブラケット３７とを備えている。上ブラケット３６は、ビーム４の上向面４１ｂ、４２ｂに沿った形状をなすことにより前後に位置決めし且つ側方にスライドし得るように形成された位置決め面３６ａと、下側から挿入される座取付ボルト３８に螺合し得る座取付ナット３６ｂとを有している。下ブラケット３７は、ビーム４の外面４１ａ、４２ａに下側から密着或いは略密着し得るように形成された固定面３７ａと、座取付ボルト３８を挿通させるためのボルト孔３７ｂとを有している。
【００２０】
そしてこの椅子本体３は、このように構成されることで、座取付ボルト３８を緩めることにより椅子本体３をビーム４の長手方向に沿って容易にスライド移動させることができるようになっている。
【００２１】
以上のようにしてなる椅子２に、本実施形態に係るカップホルダ１を取り付けている。
【００２２】
ここで、本実施形態に係るカップホルダ１は、ビーム４に複数の椅子本体３を隣接させて取り付けた椅子２に用いられるものであって、カップを保持するホルダ本体１０と、このホルダ本体１０を一定の姿勢に保持する支持要素１１とを具備してなり、支持要素１１が、ビーム４の頂点４１ｔ、４２ｔより低い部位の外面４１ａ、４２ａに添設される抜け止め用の当接部である前当接部１９ａ並びに後当接部１９ｂと、前当接部１９ａ並びに後当接部１９ｂをビーム４の外側からビーム４の外面４１ａ、４２ａへ向けて圧接させることによりホルダ本体１０をビーム４に取り付ける圧接力惹起手段たる緊締機構Ｘとを備えたことを特徴とするものである。
【００２３】
また当該カップホルダ１は、図１乃至図３に示すように、本実施形態では椅子２に対して、図５及び図７に示されるホルダ本体１０を２つ有してなるダブルタイプ１ｗのカップホルダ１と、図６に示される単一のホルダ本体１０を有してなるシングルタイプ１ｓのカップホルダ１とが図示されているが、ホルダ本体１０の配置以外はどちらも同じ構成を有するため、同じ符号を付してまとめてカップホルダ１の構成として説明する。
【００２４】
カップホルダ１は、図５乃至図７に示すように、ホルダ本体１０と、上述の通りこのホルダ本体１０を一定の姿勢に保持する支持要素１１とを有している。
【００２５】
ホルダ本体１０は、同図に示すように、保持すべきカップよりも概ね浅くなるように形成された椀状のカップ収容部１０ａと、このカップ収容部１０ａを支持要素１１へ取り付けるための被取付部１０ｂとを有した、例えば合成樹脂による一体成型品である。カップ収容部１０ａは、カップの出し入れが行い易いよう、上方へ向けて漸次径が大きくなるように形成されるとともに、下端底部に開口を有している。被取付部１０ｂは、同じく使用者がカップの出し入れが行い易いよう、カップ収容部１０ａが若干前傾姿勢となるように支持要素１１に止着させるためのものである。本実施形態では一例として、この被取付部１０ｂを支持要素１１に対しねじ止めする態様を開示しているが、勿論ホルダ本体１０が支持要素１１に対して姿勢を維持した状態で取り付け得る態様であれば、既存の種々の態様を適用し得る。なお、このホルダ本体１０には、カップ以外のもの、例えば缶またはペットボトル入りの飲食物等を保持させてもよいのは勿論である。
【００２６】
支持要素１１は、側面視Ｌ字状をなすアーム１２と、このアーム１２に上方から取り付ける押さえ具１３と、押さえ具１３とアーム１２とを結合させるためのボルト１４とを有している。
【００２７】
アーム１２は、先端部１７で前記ホルダ本体１０を支持し基端部１６を前記ビーム４の下面に添接させる、例えば側面視Ｌ字状に形成された断面概略コ字状をなす金属製のチャネル材を主体としたものであり、本実施形態では上側において、ビーム４に取り付けるための突出部１５を有している。基端部１６は、ビーム４間の前後の距離よりも長い寸法に設定されており、その前後方向の中央部に突出部１５を例えば溶接により取り付けるとともに、前端部からは下方、詳細にはやや後方へ向けて下方に先端部１７を垂下させるように連続させてなる。先端部１７は、上端において基端部１６の前端から屈曲するように接続するとともに、下端においては前記ホルダ本体１０をネジ止めするためのホルダ取付部１７ａを一側又は両側に有してなる。ホルダ取付部１７ａを一側に有したものがシングルタイプ１ｓに適用される先端部１７であり、両側に有したものがダブルタイプ１ｗに適用される先端部１７であることはいうまでもない。そして突出部１５は、コの字状に折り曲げられた金属材を主体としてなり、その前後・左右方向中央にはボルト１４を挿通させるための挿通孔１５ａが形成されるとともに、その挿通孔１５ａの下側には挿通孔１５ａに連通するように溶接されたナット１５ｎとを有している。
【００２８】
押さえ具１３は、アーム１２の基端部１６の上方に配したものであり、ビーム４の上方から取り付ける例えば中実のアルミ等の金属からなるものであり、前ビーム４１及び後ビーム４２の間に挿入されるに足る長手寸法を有するとともに、例えば１５ｍｍの幅寸法を有している。この押さえ具１３は、ボルト１４を挿通させるためのボルト挿通孔１８と、本発明の当接部に該当する前当接部１９ａ並びに後当接部１９ｂとを有している。前の当接部たる前当接部１９ａは、押さえ具１３の前端に配されて前ビーム４１の後面に形成された後上向面４１ｃに添設され且つ密着し得るように若干湾曲するように凹ませたものである。また後の当接部たる後当接部１９ｂは、押さえ具１３の後端に配されて後ビーム４２の前面に形成された前上向面４２ｃに添設され且つ密着し得るように若干湾曲するように凹ませたものである。
【００２９】
しかして本実施形態では、特に図６及び図７に示すように、本発明に係る圧接力惹起手段として、前記押さえ具１３を前記アーム１２の基端部１６に緊締する緊締機構Ｘを備えることにより、支持要素１１の当接部を前記両上向面４１ｂ、４２ｂ、具体的には前ビーム４１の後上向面４１ｃ、後ビーム４２の前上向面４２ｃにそれぞれ圧接させるようにしている。
【００３０】
図５及び図７に示すように、この緊締機構Ｘは、押さえ具１３から挿入するボルト１４と、突出部１５側に設けられたナット１５ｎとによって構成されるものである。まずアーム１２をビーム４下方に位置付けておき、押さえ具１３の前当接部１９ａと後当接部１９ｂが、後上向面４１ｃと前上向面４２ｃとに当接且つ密着するようにしている。そして緊締機構Ｘ、すなわちボルト１４とナット１５ｎとを螺合させていくことにより、ビーム４は基端部１６と押さえ具１３との間で挟持されるとともに、上下から圧接される。これにより、カップホルダ１はビーム４に対し強固に固定される。
【００３１】
そしてこの押さえ具１３は、図５に示すように、取り付けた状態においてその最上面１３ａが、ボルト１４の最上面１４ａとともに、ビーム４の頂点４１ｔ、４２ｔすなわち仮想の接線Ｌよりも下方に位置付けられるように設定されている。これにより、支持要素１１は、同図に示すようにビーム４に取り付けた状態において、その全ての構成要素がビーム４に対する仮想の接線Ｌ及び頂点４１ｔ、４２ｔよりも上方へは突出しないようになっている。このようにしておくことで、図１のように椅子本体３間に所定寸法の隙間のあるものではなく、隙間無く椅子本体３がビーム４に固定されている椅子２に対して当該カップホルダ１を取り付けるときには、上記のように座取付ボルト３８を一時的に緩め、椅子本体３をビーム４上でスライドさせながら押さえ具１３及びボルト１４が上方から挿入され得るに足る隙間を一時的に設けることにより、椅子本体３の最終的な配置に関係無く、所望の位置にカップホルダ１を取り付けることが可能である。
【００３２】
以上のような構成とすることにより、本実施形態に係るカップホルダ１は、ビーム４の外面４１ａ、４２ａに向けて当接部たる前当接部１９ａ、後当接部１９ｂをビーム４の外側から圧接させる圧接力惹起手段たる緊締機構Ｘを設けることにより、ビーム４や脚５に孔あけ加工等を施すことなく容易に取り付けることができるのみならず、ビーム４より上に支持要素１１が突出しないので、椅子本体３に何ら干渉することなく所望の位置に取り付け得るものとなっている。特に本実施形態では、支持要素１１がビーム４より上に突出しないことから、カップホルダ１をビーム４に取り付けた状態であっても、椅子本体３をビーム４に沿って所要の位置にスライドさせることも可能である。
【００３３】
また、ビーム４から外れ難い状態を維持させるために本実施形態では、ビーム４が前面の上半部分と、後面の上半部分にそれぞれ上向面４１ｂ、４２ｂを有したものとして、支持要素１１の当接部を前記両上向面４１ｂ、４２ｂにそれぞれ圧接させるようにしている。
【００３４】
そして、ビーム４に対する姿勢を安定して維持し得るために本実施形態では、前端に前ビーム４１の後上向面４１ｃに添設される前当接部１９ａと後ビーム４２の前上向面４２ｃに添設される後当接部１９ｂを押さえ具１３に設けている。これにより、ビーム４間のスペースを有効に利用することで、ビーム４に対する取付部分の省スペース化も実現している。
【００３５】
また、ビーム４に対して強固に固定するために本実施形態では、圧接力惹起手段として、押さえ具１３をアーム１２の基端部１６方向に緊締する緊締機構Ｘとしたものとしている。また本実施形態ではボルト１４とナット１５ｎとにより緊締機構Ｘを実現することにより、より強固な取り付けを実現している。
【００３６】
そして、使用者に干渉し難い位置にホルダ本体１０を位置付けるために本実施形態では、アーム１２の基端部１６の前端から下方に垂下している先端部１７の両側又は一側にホルダ本体１０を設けたものとしている。さらに本実施形態では、ホルダ本体１０が使用者に干渉し難いように、先端部１７の下端に設けたホルダ取付部１７ａが若干後方に位置付けられるように、先端部１７をやや後よりの下方に直線的に延出させている。
＜変形例＞
以上、本発明の実施形態について説明したが、各部の具体的な構成は、上述した実施形態のみに限定されるものではない。以下に、本実施形態の変形例について複数説明する。これら変形例について、上記実施形態の構成要素に相当する構成要素に対しては同じ符号を付すとともに、その詳細な説明を省略するものとする。
【００３７】
図８に示す変形例は、上記実施形態における突出部１５を設ける代わりにビーム４を前後から挟むようにして位置決めし得るＬ字鋼１６１、１６２を基端部１６に対して例えば溶接等により取り付けたものである。そして突出部１５が無い点に応じて、押さえ具１３の上下の厚み並びにボルト１４の長さ寸法を大きく設定するとともに、基端部１６に、ボルト１４を挿通させる挿通孔１６ａ並びにナット１６ｎを設けたものである。これにより、Ｌ字鋼１６１、１６２の内向面１６３、１６４がビーム４を前後移動不能に挟み込むため、ビーム４に対するより確実な位置決めを実現している。
【００３８】
図９に示す変形例は、上記実施形態における突出部１５を取り付ける代わりに、ビーム４の形状に応じて屈曲させた屈曲板１５０を取り付けたものである。この屈曲板１５０の内向面１５１及び外向面１５２により、前ビーム４１及び後ビーム４２を前後移動不能に挟み込んでいる。これにより、部品点数の増加を回避しつつ、ビーム４に対する位置決めをより確実なものとしている。
【００３９】
図１０に示す変形例は、突出部１５を設ける代わりに基端部１６にビーム４の外面４１ａ、４２ａの形状に対応させた形状をなす切欠１６ｃを形成したものである。そして上記実施形態に比べて突出部１５が無い点に応じて、基端部１６に、ボルト１４を挿通させる挿通孔１６ａ並びにナット１６ｎを設けている。これにより、ビーム４付近のスペースをより少なく利用することにより、椅子２に対して取り付ける自由度を有効に向上せしめている。加えて、部品点数の削減とビーム４に対する確実な位置決めをも同時に実現している。
【００４０】
図１１に示す変形例は、ビーム４の下側から後側に亘って位置付けられる突出部１５３を設けるとともに、前方から突出部１５３に取り付けられる押さえ具１３０を採用したものである。そして押さえ具１３０を前側から取り付けるために、押さえ具１３０の前方にボルト挿通孔１８を設けるともに、突出部１５３の前面にボルト挿通孔１８に連通し得るナット部１５３ｎを設けている。そして本変形例においても押さえ具１３０の最上面１３ａと突出部１５３の最上面１５３ａは頂点４１ｔ、４２ｔよりも下方に位置付けられるようにしている。また押さえ具１３０に設けられた前当接部１９ａは前ビーム４１の前上向面４１ｄを圧接するとともに、突出部１５に設けられた後当接部１９ｂ後ビーム４２の後上向面４２ｄを圧接するものとしている。これにより、ビーム４における所望の位置の上に椅子本体３が固定されている場合であっても、押さえ具１３を前側からボルト止めすることにより、椅子本体３をスライドさせることも椅子本体３に干渉することもなくカップホルダ１を所望の位置に取り付けることができる。また、本発明に係るカップホルダ１は、緊締機構Ｘがビーム４を緊締する方向を問わない。
【００４１】
図１２に示す変形例は、突出部１５の代わりにビーム４に前後から外嵌する外嵌部１５４を設けるとともに、カップホルダ１を取り付ける際、この外嵌部１５４の前後端を、ビーム４をくわえ込むように経過的に弾性変形をしつつ、取付状態では常に前ビーム４１の前上向面４１ｄ及び後ビーム４２の後上向面４２ｄを弾性により押圧している弾性押圧部Ｙとしたものである。これにより、カップホルダ１の取り付けにはボルト、ねじ等の格別な部材を必要とせず、部品点数の削減に資する。またすなわち本発明に係る圧接力惹起手段とは、ねじ止め等による上記緊締機構Ｘに限られるものではない。
【００４２】
図１３に示す変形例は、断面視円形状を成す丸パイプからなるものではなく、断面視概略菱形を成した角ビーム４０を適用した椅子２に対して適用すべく構成されたものである。すなわち押さえ具１３の前後端に設けた前当接部１９ａ及び後当接部１９ｂの形状を角ビーム４０の後上向面４１ｃ及び前上向面４２ｃの形状に適用させるべく、略平面状としたものである。すなわち本発明に係るカップホルダ１は、断面視円形状のビーム４でなくとも、頂点４１ｔ、４２ｔよりも下の位置の外面４１ａ、４２ａに上向面４１ｂ、４２ｂを有する形状を有するものであれば好適に適用し得る。
【００４３】
図１４に示す変形例は、図示のように単一のビーム４３に椅子本体３を支持させる態様の椅子２に適用し得る、或いは、複数有るビーム４のうち何れか一のビーム４に対して取り付け得る態様のものである。すなわち、基端部１６に、一本のビーム４３の外面４３ａ、４３ａの形状に対応させた外嵌部１５５を取り付けるとともに、この外嵌部１５５の内面側には外嵌部１５５がビーム４３に対して回転するのを防ぐ、例えばウレタン等からなる回り止めシート１５６を貼付してある。そしてこの回り止めシート１５６の前後における上端部分が前当接部１９ａ及び後当接部１９ｂとなる。そしてこの外嵌部１５５の前後端は、ビーム４をくわえ込むように経過的に弾性変形をしつつ、取付状態では常に前当接部１９ａ及び後当接部１９ｂがビーム４３の前上向面４３ｅ及び後上向面４３ｆを弾性により押圧するようにしている弾性押圧部Ｙとしたものである。すなわち本発明に係るカップホルダ１を取り付け得る椅子２は、複数のビーム４を有する態様に限られない。
【００４４】
そして図１５に示す変形例は、突出部１５の代わりにビーム４に下方から密着する湾曲面１５７ｃを例えば金属板を切り欠くことにより設けた湾曲突出部１５７を設けたものとしている。このように、湾曲面１５７ｃがビーム４の外面４１ａ、４２ａに下方から密着することにより、ビーム４に対する位置決めをより正確になし得るものとなっている。
【００４５】
以上、本発明の実施形態について説明したが、各部の具体的な構成は、上述した実施形態のみに限定されるものではなく、本発明の趣旨を逸脱しない範囲で種々変形が可能である。
【００４６】
例えば、上記実施形態では弾性押圧部は、１又は複数のビームを挟持する態様のみを開示したが、勿論、複数のビーム間に挟まれることでビームを圧接し得るものとしてもよい。そして上記実施形態では壁面に取り付けられる所謂蹴り上げ型の椅子に適用したが勿論、床面から立ち上がる態様をなす脚を有する椅子であっても、ビームが架け渡されている態様の椅子であれば好適に適用し得る。また、上記実施形態ではホルダ本体を先端部の側方に取り付けた態様のみを開示したが勿論、先端部の前方や下方にホルダ本体を配したものであってもよい。また上記実施形態では押さえ具が一つのみのものを開示したが、勿論押さえ具を複数備えたものであってもよい。その他、ホルダ本体やアーム等の具体的な態様は上記実施形態のものに限定されることはなく、既存のものを含め、種々の態様のものを適用することができる。
【００４７】
その他、各部の具体的構成についても上記実施形態に限られるものではなく、本発明の趣旨を逸脱しない範囲で種々変形が可能である。
【産業上の利用可能性】
【００４８】
本発明は椅子に取り付けて用いるカップホルダとして利用することができる。
【符号の説明】
【００４９】
１…カップホルダ
１０…ホルダ本体
１１…支持要素
１２…アーム
１３、１３０…押さえ具
１６…基端部
１７…先端部
１９ａ…当接部（前当接部）
１９ｂ…当接部（後当接部）
２…椅子
３…椅子本体
４…ビーム
４０…ビーム（角ビーム）
４１ａ、４２ａ…外面
４１ｂ、４２ｂ…上向面
４１ｔ、４２ｔ…頂点
Ｘ…圧接力惹起手段（緊締機構）
Ｙ…圧接力惹起手段（弾性押圧部）
【図１】
0005810284.tif 000002
【図２】
0005810284.tif 000003
【図３】
0005810284.tif 000004
【図４】
0005810284.tif 000005
【図５】
0005810284.tif 000006
【図６】
0005810284.tif 000007
【図７】
0005810284.tif 000008
【図８】
0005810284.tif 000009
【図９】
0005810284.tif 000010
【図１０】
0005810284.tif 000011
【図１１】
0005810284.tif 000012
【図１２】
0005810284.tif 000013
【図１３】
0005810284.tif 000014
【図１４】
0005810284.tif 000015
【図１５】
0005810284.tif 000016